(57)【要約】【課題】  組み立て時に、組立ボードの接合面に対して他の組立ボードの接合面を螺子締めすることなく押し込むのみでワンタッチで組み立てる。【解決手段】  第１の組立ボード２１０の接合面に設ける第１の連結金具１１０の切り欠き部分１１１，１１２は第１の組立ボード２１０の接合面の窪み穴２２１，２２２の上面の一部を覆う縁を備えている。第２の組立ボード２２０の接合面に設ける第２の連結金具１２０の突片部分１２１，１２２は、撓りにより弾性力を持ちながら切り欠き部分１１１，１１２に嵌合し、第１の組立ボード２１０の窪み穴２１２，２１２の中に突出する。第１の組立ボード２１０の接合面の第１の連結金具１１０に対して、第２の組立ボード２２０の接合面の第２の連結金具１２０を押し込んで連結する。木材ボード、スチールボードに適用できる。【選択図】  図６
2011106129.tif 000002
【特許請求の範囲】
【請求項１】
第１の組立ボードに対して第２の組立ボードを嵌め込んで連結するための連結金具であって、第１の組立ボードの接合面に設ける第１の連結金具と、第２の組立ボードの接合面に設ける第２の連結金具を備え、
前記第１の連結金具が、前記第１の組立ボードの接合面に設けられている窪み穴の上面の一部を覆う縁を持つ第１の嵌合部を備え、
前記第２の連結金具が、前記第１の連結金具の前記第１の嵌合部の縁と嵌合する突片部分を持つ第２の嵌合部を備え、
前記第１の組立ボードの接合面の前記第１の連結金具に対して、前記第２の組立ボードの接合面の前記第２の連結金具を押し込んでゆくことにより、第１の組立ボードと第２の組立ボードを連結することを特徴とする組立ボード連結金具。
【請求項２】
前記第１の連結金具の前記第１の嵌合部が略「コの字」型、略「ロの字」型、略「Ｌの字」型または略「凸の字」型のいずれかの切り欠きを備えたものであり、前記第２の連結金具の前記第２の嵌合部が板状片を略「くの字」型に前記対向する方向へ折り曲げた突片部分を備えたものであり、前記第１の連結金具の前記切り欠きの縁部分に対して前記第２の連結金具の突片部分を押し込んで接合すると、前記第２の連結金具の前記突片部分の略「くの字」部分が前記第１の連結金具の前記切り欠きの縁部分に掛かるものであることを特徴とする請求項１に記載の組立ボード連結金具。
【請求項３】
前記第１の連結金具の前記第１の嵌合部が略「コの字」型、略「ロの字」型、略「Ｌの字」型または略「凸の字」型のいずれかの切り欠きを備えたものであり、前記第２の連結金具の前記第２の嵌合部が爪部分と前記爪部分を撓らせる撓り部分を備えた突片部分を備えたものであり、前記第１の連結金具の前記切り欠きの縁部分に対して前記第２の連結金具の突片部分を押し込んで接合すると、前記第２の連結金具の前記突片部分の前記爪部分が前記第１の連結金具の前記切り欠きの縁部分に掛かるものであることを特徴とする請求項１に記載の組立ボード連結金具。
【請求項４】
前記第１の組立ボードの接合面に前記窪み穴が２カ所設けられており、前記第１の連結金具の前記第１の嵌合部が前記窪み穴の位置に対応して２つ設けられており、前記第２の連結金具の前記第２の嵌合部が前記第１の連結金具の前記第１の嵌合部の位置に対応して２つ設けられており、
前記第１の連結金具の前記第１の嵌合部に対して前記第２の連結金具の前記第２の嵌合部を押し込んで接合すると、前記第２の連結金具の前記第２の嵌合部の撓りにより前記第１の連結金具の２つの前記第１の嵌合部の間の金属板部分を挟持することを特徴とする請求項１から３のいずれか１項に記載の組立ボード連結金具。
【請求項５】
前記第１の連結金具の切り欠きの縁の幅と、前記第２の連結金具の前記突片部分の幅が合致するものであり、前記突片部分が前記切り欠きの縁に嵌合することにより、前記第１の連結金具に対して前記第２の連結金具が上下左右に動かないよう嵌合することを特徴とする請求項１から４のいずれか１項に記載の組立ボード連結金具。
【請求項６】
接合面に対向し合う２つの窪み穴を備え、前記接合面に第１の連結金具が取り付けられた第１の組立ボードと、接合面に第２の連結金具が取り付けられた第２の組立ボードを備え、
前記第１の連結金具が、前記第１の組立ボードの接合面に設けられている窪み穴の上面の一部を覆う縁を持つ第１の嵌合部を備え、
前記第２の連結金具が、前記第１の連結金具の前記第１の嵌合部の縁と嵌合する突片部分を持つ第２の嵌合部を備え、
前記第１の組立ボードの接合面の前記第１の連結金具に対して、前記第２の組立ボードの接合面の前記第２の連結金具を押し込んでゆくことにより、第１の組立ボードと第２の組立ボードを連結する、押し込み組み立て式の組立ボード。
【請求項７】
前記第１の連結金具の前記第１の嵌合部が略「コの字」型、略「ロの字」型または略「Ｌの字」型のいずれかの切り欠きを備えたものであり、前記第２の連結金具の前記第２の嵌合部が板状片を略「くの字」型に前記対向する方向へ折り曲げた突片部分を持ち、前記第１の連結金具の前記切り欠きの縁部分に対して前記第２の連結金具の突片部分を押し込んで接合すると、前記第２の連結金具の前記突片部分の略「くの字」部分が前記第１の連結金具の前記切り欠き部分の縁に掛かるものであることを特徴とする請求項６に記載の押し込み組み立て式の組立ボード。
【請求項８】
前記第１の連結金具の前記第１の嵌合部が略「コの字」型、略「ロの字」型または略「Ｌの字」型のいずれかの切り欠きであり、前記第２の連結金具の前記第２の嵌合部が爪部分と前記爪部分を撓らせる撓り部分を備えた突片部分であり、前記第１の連結金具の前記切り欠きの縁部分に対して前記第２の連結金具の突片部分を押し込んで接合すると、前記第２の連結金具の前記突片部分の前記爪部分が前記第１の連結金具の前記切り欠きの縁部分に掛かるものであることを特徴とする請求項６に記載の押し込み組み立て式の組立ボード。
【請求項９】
前記第１の組立ボードの接合面に前記窪み穴が２カ所設けられており、前記第１の連結金具の前記第１の嵌合部が前記窪み穴の位置に対応して２つ設けられており、前記第２の連結金具の前記第２の嵌合部が前記第１の連結金具の前記第１の嵌合部の位置に対応して２つ設けられており、
前記第１の連結金具の前記第１の嵌合部に対して前記第２の連結金具の前記第２の嵌合部を押し込んで接合すると、前記第２の連結金具の前記第２の嵌合部の撓りにより前記第１の連結金具の２つの前記第１の嵌合部の間の金属板部分を挟持することを特徴とする請求項６から８のいずれか１項に記載の押し込み組み立て式の組立ボード。
【請求項１０】
前記第１の連結金具の切り欠き部分の幅と、前記第２の連結金具の前記突片部分の幅が合致するものであり、前記突片部分が前記切り欠き部分に嵌合することにより、前記第１の連結金具に対して前記第２の連結金具が上下左右に動かないよう嵌合することを特徴とする請求項６から９のいずれか１項に記載の押し込み組み立て式の組立ボード。
【請求項１１】
前記組立ボードが木材ボードである請求項６から１０のいずれか１項に記載の押し込み組み立て式の組立ボード。
【請求項１２】
前記組立ボードが金属板ボードであり、前記第１の連結金具が前記金属板ボードと一体化され、前記第２の連結金具が前記金属板ボードと一体化されたものである請求項６から１０のいずれか１項に記載の押し込み組み立て式の組立ボード。
【発明の詳細な説明】
【技術分野】
【０００１】
本発明は、一片の組立ボードに対して他の組立ボードを連結するために使用する連結金具に関するものである。特に、組み立て時の組立ボード同士の接合作業では、接合が簡単にワンタッチで行え、かつ、接合部分において金具類が外部から一切見えない組立ボード連結金具および押し込み組み立て式の組立ボードに関する。組立ボードの素材としては木材ボード、金属板ボードなどがある。
【背景技術】
【０００２】
従来、木製の家具や棚などの木材ボードを組み立ててゆく際、一片の木材ボードと他の木材ボードを連結・接合する方法としては以下のものが知られていた。
第１は、単純に釘を打ち付ける方法である。しかし、釘を打ち付ける方法は釘が露出するため、人目につかない部分の木材同士の接合では用いられるものの、家具や棚など人目に付く部分の木材ボードとしては用いることは敬遠される。
第２は、木材の接合箇所にホゾ加工を施し、金具類を基本的には使用せずに木材のみでつなぎ合わせる方法である。しかし、ホゾ同士の接合のみでは接合強度が不足しがちであり、ホゾの加工に手間を要するので、例えば神社仏閣などの伝統建築物の柱と梁の接合などに多く用いられる方法である。
第３は、連結金具を用いて連結金具を介して木材ボード同士を接合する方法である。連結金具には様々なものが提案されている。
【０００３】
例えば、特開平１１−２８６９９５号公報（特許文献１）に記載された連結金具がある。図１６に示すように、第１の木材１０と第２の木材２０との間に、小孔３０ａを形成した平板状の連結金具３０を介在させ、その小孔３０ａに連結ピン３１を挿通して両者を接合するものである。第１の木材１０と第２の木材２０との間に連結金具３０を介在させているので接合強度を高めることができる。
【０００４】
また、特開２０００−１２９７９８号公報（特許文献２）に記載された連結金具がある。図１６に示すように、同公報に記載の連結金具の構造は、一方の木材の側面に取り付けられた接合金具２の基部から張り出した金属板状体３をホゾのようにみなし、他方の木材の端部に形成された金属スリット６を溝として、従来の木材のホゾと溝の関係を金属で実現した構成となっている。なお、ホゾである金属板状体３の底面付近には、溝が設けられた木材ボードを支えるための底板を持った形状となっている。
【０００５】
また、特開平１１−１００９０４号公報（特許文献３）に記載された連結金具がある。図１６に示すように、同公報に記載の連結金具の構造は、一方の木材ボードの側面に取り付けられた接合金具２の基部から張り出した断面方形材の端面に雄型金具３を突設し、他方の木材ボードの端面には凹部を持つ雌型金具７を形成し、雌型金具３及び雄型金具７を雌雄嵌合接続するものである。
【０００６】
また、特開平１１−１７２７８９号公報（特許文献４）に記載された連結金具がある。図１７に示すように、同公報に記載の連結金具の構造は、上下からスリット状に嵌合するものであり、一方の木材ボードの端面にスリット状の対向フランジ４を持つ断面方形連結金具１を設け、他方の木材ボードの端面にもスリット状の反対向フランジ６を持つ断面方形連結金具１’を設け、反対向フランジ６を対向フランジ４に雌雄係合し、２個の断面方形連結金具１および断面方形連結金具１’を接続するものでる。
【０００７】
【特許文献１】特開平１１−２８６９９５号公報
【特許文献２】特開２０００−１２９７９８号公報
【特許文献３】特開平１１−１００９０４号公報
【特許文献４】特開平１１−１７２７８９号公報
【発明の開示】
【発明が解決しようとする課題】
【０００８】
上記した従来の連結金具は、木材ボード同士の接合作業時において螺子締め作業が発生して作業が複雑となってしまうという問題と、その螺子が外部に表出してしまい木製家具などの美観を損なうという問題があった。
【０００９】
特開平１１−２８６９９５号公報（特許文献１）に記載された連結金具では、木材ボード同士の接合作業時には、木材ボードへの接合金具２０の挟み込みと、木材ボードの外側から接合金具２０へ複数個のピンＰを差し込む作業が必要となってしまう。接合金具２０は木材ボードの内部に隠れてしまうため外部からピンＰを複数個差し込むことは難しく時間がかかる。また、螺子ではなくピンＰであれば抜けやすいため接合強度を上げるために螺子を用いる必要があり螺子を締める作業が必要となる。また、螺子は外部に表出するものであり螺子などの金具が見えてしまう。
【００１０】
次に、特開２０００−１２９７９８号公報（特許文献２）に記載された連結金具は、木材ボード同士の接合作業時には、接合金具１の金属板状体３と溝状の金属スリット６の挟み込み作業と、木材ボードの外側から複数個の螺子を螺合する作業が必要となってしまう。もし螺子を螺合しない場合、一方の木材ボードに他方の木材ボードが上から金属スリットの溝に沿って乗っかっているだけであるのでバラバラになってしまう。螺子は外部に表出するものであり螺子などの金具が見えてしまう。
【００１１】
次に、特開平１１−１００９０４号公報（特許文献３）に記載された連結金具では、木材ボード同士の接合作業時に一方の木材ボードの側面に取り付けられた箱型の雄金具３と他方の木材ボードの端面に取り付けられた箱型の雌金具７を雌雄嵌合接続する作業と、木材ボードの外側から複数個の螺子を螺合する作業が必要となってしまう。もし螺子を設けない場合、一方の木材ボードの箱型の雌金具７に箱型雄金具３が入り込んでいるだけであるので引っ張ればすぐに離れてしまう。そのため螺子が必要であるが、螺子は外部に表出するものであり螺子が見えてしまう。
【００１２】
次に、特開平１１−１７２７８９号公報（特許文献４）に記載された連結金具では、一方の木材ボードの端面にある断面方形連結金具１のスリット状の対向フランジ４に対して、他方の木材ボードの端面にある断面方形連結金具１’のスリット状の反対向フランジ６を上下方向に雌雄係合する作業と、木材ボードの外側から複数個のピンＰを差し込む作業が必要となってしまう。断面方形連結金具１および断面方形連結金具１’は木材ボードの内部に隠れてしまうため外部からピンＰを複数個差し込むことは難しく時間がかかる。また、螺子ではなくピンＰでとめる場合は抜けやすいため接合強度を上げるために螺子を用いる必要があるため螺子を螺合する作業が必要となる。また、螺子は外部に表出するものであり螺子などの金具が見えてしまう。
【００１３】
上記問題点に鑑み、本発明は、一片の木材ボードに対して他の木材ボードを連結するために使用する木材ボード連結金具であって、組み立て時の木材ボード同士の接合作業に、接合が簡単にワンタッチで行え、かつ、接合部分において金具類が外部から一切見えない木材ボード連結金具を提供することを目的とする。
また、本発明は接合面に上記の木材ボード連結金具を取り付けておき、組み立て時に、一片の木材ボードの接合面に対して他の木材ボードの接合面を螺子締めすることなく押し込むのみでワンタッチで組み立てることができる押し込み組み立て式の木材ボードを提供することを目的とする。
【課題を解決するための手段】
【００１４】
上記目的を達成するため、本発明の組立ボードの連結金具の基本構成は、第１の組立ボードに対して第２の組立ボードを嵌め込んで連結するための連結金具であって、第１の組立ボードの接合面に設ける第１の連結金具と、第２の組立ボードの接合面に設ける第２の連結金具を備え、前記第１の連結金具が、前記第１の組立ボードの接合面に設けられている窪み穴の上面の一部を覆う縁を持つ第１の嵌合部を備え、前記第２の連結金具が、前記第１の連結金具の前記第１の嵌合部の縁と嵌合する突片部分を持つ第２の嵌合部を備え、前記第１の組立ボードの接合面の前記第１の連結金具に対して、前記第２の組立ボードの接合面の前記第２の連結金具を押し込んでゆくことにより、第１の組立ボードと第２の組立ボードを連結することを特徴とする組立ボード連結金具である。
【００１５】
具体的な形状の一例として、前記第１の連結金具の前記第１の嵌合部が略「コの字」型、略「ロの字」型、略「Ｌの字」型または略「凸の字」型のいずれかの切り欠きを備えたものであり、前記第２の連結金具の前記第２の嵌合部が板状片を略「くの字」型に前記対向する方向へ折り曲げた突片部分を備えたものであり、前記第１の連結金具の前記切り欠きの縁部分に対して前記第２の連結金具の突片部分を押し込んで接合すると、前記第２の連結金具の前記突片部分の略「くの字」部分が前記第１の連結金具の前記切り欠きの縁部分を挟持するものがある。
【００１６】
具体的な形状の他の例として、前記第１の連結金具の前記第１の嵌合部が略「コの字」型、略「ロの字」型、略「Ｌの字」型または略「凸の字」型のいずれかの切り欠きを備えたものであり、前記第２の連結金具の前記第２の嵌合部が爪部分と前記爪部分を撓らせる撓り部分を備えた突片部分を備えたものであり、前記第１の連結金具の前記切り欠きの縁部分に対して前記第２の連結金具の突片部分を押し込んで接合すると、前記第２の連結金具の前記突片部分の前記爪部分が前記第１の連結金具の前記切り欠きの縁部分に掛るものがある。
【００１７】
なお、上記の基本構成において、前記第１の組立ボードの接合面に前記窪み穴が２カ所設けられており、前記第１の連結金具の前記第１の嵌合部が前記窪み穴の位置に対応して２つ設けられており、前記第２の連結金具の前記第２の嵌合部が前記第１の連結金具の前記第１の嵌合部の位置に対応して２つ設けられており、前記第１の連結金具の前記第１の嵌合部に対して前記第２の連結金具の前記第２の嵌合部を押し込んで接合すると、前記第２の連結金具の前記第２の嵌合部の撓りにより前記第１の連結金具の２つの前記第１の嵌合部の間の金属板部分を挟持する構成とすることができる。
【００１８】
ここで、第１の連結金具と第２の連結金具が嵌め込んだ後、上下左右にグラグラしないように、前記突片形状により前記切り欠き形状を挟んで挟持する方向のみならずその横方向にも移動を制限する構造であることが好ましい。
そこで、前記第１の連結金具の切り欠きの縁の幅と、前記第２の連結金具の前記突片部分の幅が合致するものであり、前記突片部分が前記切り欠きの縁に嵌合することにより、前記第１の連結金具に対して前記第２の連結金具が上下左右に動かないよう嵌合するものとすることが好ましい。
【００１９】
次に、本発明の押し込み組み立て式の組立ボードの基本構成は、上記本発明の連結金具を取り付けた組立ボードであり、接合面に対向し合う２つの窪み穴を備え、前記接合面に第１の連結金具が取り付けられた第１の組立ボードと、接合面に第２の連結金具が取り付けられた第２の組立ボードを備え、前記第１の連結金具が、前記第１の組立ボードの接合面に設けられている窪み穴の上面の一部を覆う縁を持つ第１の嵌合部を備え、前記第２の連結金具が、前記第１の連結金具の前記第１の嵌合部の縁と嵌合する突片部分を持つ第２の嵌合部を備え、前記第１の組立ボードの接合面の前記第１の連結金具に対して、前記第２の組立ボードの接合面の前記第２の連結金具を押し込んでゆくことにより、第１の組立ボードと第２の組立ボードを連結する、押し込み組み立て式の組立ボードである。
【００２０】
具体的な形状の一例として、前記第１の連結金具の前記第１の嵌合部が略「コの字」型、略「ロの字」型、略「Ｌの字」型または略「凸の字」型のいずれかの切り欠きを備えたものであり、前記第２の連結金具の前記第２の嵌合部が板状片を略「くの字」型に前記対向する方向へ折り曲げた突片部分を持ち、前記第１の連結金具の前記切り欠きの縁部分に対して前記第２の連結金具の突片部分を押し込んで接合すると、前記第２の連結金具の前記突片部分の略「くの字」部分が前記第１の連結金具の前記切り欠き部分の縁を挟持するものとすることができる。
【００２１】
また、具体的な形状の他の例として、前記第１の連結金具の前記第１の嵌合部が略「コの字」型、略「ロの字」型、略「Ｌの字」型または略「凸の字」型のいずれかの切り欠きであり、前記第２の連結金具の前記第２の嵌合部が爪部分と前記爪部分を撓らせる撓り部分を備えた突片部分であり、前記第１の連結金具の前記切り欠きの縁部分に対して前記第２の連結金具の突片部分を押し込んで接合すると、前記第２の連結金具の前記突片部分の前記爪部分が前記第１の連結金具の前記切り欠きの縁部分に掛るものとすることができる。
【００２２】
なお、上記基本構成の一例として、前記第１の組立ボードの接合面に前記窪み穴が２カ所設けられており、前記第１の連結金具の前記第１の嵌合部が前記窪み穴の位置に対応して２つ設けられており、前記第２の連結金具の前記第２の嵌合部が前記第１の連結金具の前記第１の嵌合部の位置に対応して２つ設けられており、前記第１の連結金具の前記第１の嵌合部に対して前記第２の連結金具の前記第２の嵌合部を押し込んで接合すると、前記第２の連結金具の前記第２の嵌合部の撓りにより前記第１の連結金具の２つの前記第１の嵌合部の間の金属板部分を挟持するものとすることができる。
【００２３】
ここで、第１の連結金具と第２の連結金具が嵌め込んだ後、上下左右にグラグラしないように、前記突片形状により前記切り欠き形状を挟んで挟持する方向のみならずその横方向にも移動を制限する構造であることが好ましい。
そこで、前記第１の連結金具の切り欠き部分の幅と、前記第２の連結金具の前記突片部分の幅が合致するものであり、前記突片部分が前記切り欠き部分に嵌合することにより、前記第１の連結金具に対して前記第２の連結金具が上下左右に動かないよう嵌合する構造とすることが好ましい。
【００２４】
なお、組立ボードの素材であるが、組立ボードとすることができる。組立ボードを組み立てて作る組立式の木製家具などに適用することができる。
また、組立ボードの素材として、金属板ボードとすることができる。金属板を組み立てて作る組立式のスチール家具などに適用するこができる。
【発明の効果】
【００２５】
本発明の組立ボードの連結金具によれば、組み立て時の組立ボード同士の接合作業に、接合が簡単にワンタッチで行え、かつ、接合部分において金具類が外部から一切見えない。
また、本発明の押し込み組み立て式の組立ボードによれば、接合面にあらかじめ本発明の組立ボード連結金具を取り付けておけば、組み立て時に、第１の組立ボードの接合面の第１の連結金具に対して第２の組立ボードの接合面の第２の連結金具を押し込むだけで良く、螺子締めすることなくワンタッチで組み立てることができる。
【発明を実施するための最良の形態】
【００２６】
以下、図面を参照しつつ、本発明の組立ボードの連結金具および押し込み組み立て式の組立ボードの実施例を説明する。なお、本発明はこれらの実施例に限定されるものではない。
【実施例１】
【００２７】
本発明の実施例１に係る組立ボードの連結金具１００および本発明の押し込み組み立て式の組立ボード２００について説明する。例として、組立ボードは木材ボードとし、組立式の木製家具用の組立ボード２００を説明するが、組立ボードが金属板ボードとし、組立式のスチール家具用の組立ボード２００であっても基本的な原理は同様である。
組立ボードの連結金具１００は、第１の木材ボード２１０に対して第２の木材ボード２２０を嵌め込んで連結するための連結金具であり、第１の木材ボード２１０の接合面に設ける第１の連結金具１１０と、第２の木材ボード２２０の接合面に設ける第２の連結金具１２０を備えたものとなっている。
【００２８】
図１は、本発明の実施例１に係る組立ボードの連結金具１００の第１の連結金具１１０の構成例を模式的に示す図である。
図２は、本発明の実施例１に係る組立ボードの連結金具１００の第２の連結金具１２０の構成例を模式的に示す図である。
図３は、本発明の押し込み組み立て式の組立ボード２００の構成例を模式的に示す図である。本発明の押し込み組み立て式の組立ボード２００は複数枚の組立ボードを組み合わせ、複雑な形状を構成することも可能であるが、ここでは基本的な関係を示すため、図３には第１の連結金具１１０が取り付けられた第１の木材ボード２１０と、第２の連結金具１２０が取り付けられた第２の木材ボード２２０が示されている。
【００２９】
本発明の組立ボードの連結金具１００は、第１の連結金具１１０、第２の連結金具１２０の２つの金具片を備えている。
まず、第１の連結金具１１０の構成例を説明する。
図１は、本発明の実施例１に係る組立ボードの連結金具１００の第１の連結金具１１０の構成例を模式的に示す図である。正面図、側面図、Ａ−Ａ線断面図が示されている。図１に示すように、第１の連結金具１１０は、２つの第１の嵌合部の「コの字」型の切り欠き部分１１１、１１２を備え、さらに、螺子締め用に２つの螺子孔１１３、１１４を備えている。
【００３０】
切り欠き部分１１１、１１２は、後述するように、第２の連結金具１２０の第２の嵌合部の突片部分１２１、１２２を受け入れる形状となっており、この構成例では、切り欠き部分１１１、１１２の形状は、略「コの字」型の形状となっているが、後述するように略「ロの字」型の形状や略「Ｌの字」型や略「凸の字」型であっても機能的には同様のものとなる。なお、略「凸の字」型は、両肩に向かい合った２つの略「Ｌの字」型の切り欠きがあるものと見ることができる。つまり、組立ボード２００に取り付けた際に窪み穴２１１、２１２の開口面にその縁がかかるような形状であれば良い。
【００３１】
切り欠き部分１１１、１１２の背後の第１の木材ボード２１０の接合面には突片部分１２１、１２２が入り込むための窪み穴２１１、２１２が位置している。つまり、第１の連結金具１１０が第１の木材ボード２１０の接合面に取り付けられた状態において、切り欠き部分１１１、１１２は、窪み穴２１１および２１２の上面の一部を覆う縁を持つ形状となっている。
【００３２】
図４は、第１の木材ボード２１０の接合面に設けられている窪み穴２１１と、第１の連結金具１１０の第１の嵌合部の切り欠き部分１１１との位置関係および重なり関係を模式的に示した図である。木材ボード２１０に取り付けられた状態を拡大して見た図となっている。図４（ａ）は上面から見た図、図４（ｂ）は断面図を示している。図４（ｃ）は第１の嵌合部の切り欠き部分１１１，１１２の間の距離を説明する図である。
【００３３】
図４（ａ）および図４（ｂ）に示すように、第１の木材ボード２１０の接合面側の窪み穴２１１は四角柱となっている。一方、第１の連結金具１１０は第１の木材ボード２１０の接合面に取り付けられており、この取り付け例では第１の木材ボード２１０の表面と第１の連結金具１１０の表面が同じ高さになるように第１の木材ボード２１０内に第１の連結金具１１０が埋め込まれ、螺子締めされている。
【００３４】
切り欠き部分１１１はちょうど窪み穴２１１の上面付近に位置しているが、切り欠き部分１１１の縁はちょうど窪み穴２１１の上面にかかっている。後述するように、切り欠き部分１１１に対して第２の連結金具の突片部分１２１が押し込まれた場合、窪み穴２１１は、この突入してくる第２の連結金具の突片部分１２１を受け入れるための空間を提供する窪みとなる。
【００３５】
第２の連結金具の突片部分１２１が窪み穴２１１に収まるように突入するためには第２の連結金具の突片部分１２１に隣接して導く第１の連結金具の切り欠き部分１１１の位置が、窪み穴２１１にかかっておれば良い。もっとも、窪み穴の縁と第１の連結金具の切り欠き部分１１１との隙間として、第２の連結金具の突片部分１２１の板厚が入る隙間が必要となる。
同様に、切り欠き部分１１２はちょうど窪み穴２１２の上面付近に位置しているが、切り欠き部分１１２の縁はちょうど窪み穴２１２の上面にかかっており、第１の木材ボード２１０の窪み穴２１２と第１の連結金具１１０の切り欠き部分１１２との位置関係および重なり関係も上記と同様であるので、ここでの説明は省略する。
【００３６】
第１の連結金具１１０の切り欠き部分１１１、１１２の間の金属部分は、後述するように、第２の連結金具１２０の突片部分１２１、１２２により挟持される。ここでは、図４（ｃ）に示すように、その第１の連結金具１１０の切り欠き部分１１１、１１２の間の距離は“Ｌ０”とする。
【００３７】
第１の連結金具１１０の螺子孔１１３および螺子孔１１４は、螺子を取り付けるための孔である。螺子孔１１３、螺子孔１１４に対して螺子１１５、螺子１１６を打ち込むことにより、第１の連結金具１１０を第１の木材ボード２１０の接合面に取り付けることができる。
なお、第１の連結金具１１０も木材ボード２１０への取り付け自体は螺子締めが必要となるが、この作業は、利用者による組み立て時ではなく、組み立て家具などのメーカー先であらかじめ螺子を締めて取り付けておくことができ、利用者による組み立て時では螺子締めという作業は発生しない。
【００３８】
次に、第２の連結金具１２０を説明する。
図２は、本発明の実施例１に係る組立ボードの連結金具１００の第２の連結金具１２０の構成例を模式的に示す図である。図２（ａ）は第２の連結金具１２０の第２の嵌合部１２１、１２２が「くの字」型に屈曲している形状の例を示しており、図２（ｂ）は第２の連結金具１２０の第２の嵌合部１２１、１２２が板状体の先端に爪を持った形状の例を示している。
図２（ａ）の「くの字」型に屈曲している第２の嵌合部１２１、１２２であっても、板状体の先端に爪を持った第２の嵌合部１２１、１２２であっても、後述するように、第１の連結金具１１０の第１の嵌合部１１１、１１２の切り欠き形状と嵌合し合うという機能は同じであるので、以下の説明では、図２（ａ）の「くの字」型に屈曲している第２の嵌合部１２１、１２２を中心に説明する。
【００３９】
第２の連結金具１２０は、２つの第２の嵌合部である突片部分１２１、１２２、２つの螺子孔１２３、１２４を備えている。２つの突片部分１２１、１２２は第１の連結金具の切り欠き部分１１１、１１２の位置に対応して配置されている。
第２の連結金具１２０の突片部分１２１、１２２は、第１の連結金具１１０の切り欠き部分１１１、１１２に嵌合して第１の木材ボード２１０の窪み穴２１１、２１２の中に突出するものである。
【００４０】
図５は、第２の連結金具１２０の突片部分１２１、１２２の形状を分かりやすく示した図である。図５（ａ）は上面から見た図、図５（ｂ）は断面図、図５（ｃ）は対向する突片部分１２１，１２２間の距離関係を説明する図、図５（ｄ）は木材ボード２２０に取り付けられた状態を拡大して見た図となっている。
この構成例では、第２の連結金具１２０の突片部分１２１、１２２は、板状片を略「くの字」型に対向する方向へ折り曲げた形状となっており、対向し合う２つの突片部分１２１、１２２はそれぞれ根元付近において当該対向し合う方向へ傾いた傾き部分１２１ａ，１２２ａを備えたものとなっている。後述するように、この傾き部分１２１ａ，１２２ａによって切り欠け部分１１１、１１２の縁と当接して撓って掛かり、縁を挟持する力を与えることにより、第１の連結金具１１０と第２の連結金具１２０とをしっかり嵌合させる効果が得られる。
【００４１】
なお、突片部分１２１、１２２の根元付近は対向し合う方向へ傾いた傾き部分１２１ａ，１２２ａとなっているが、途中で屈曲部分１２１ｂ，１２２ｂを有しており、板状片が略「くの字」型に曲げられて先端部分１２１ｃ，１２２ｃにかけて広がっている。ここで、図４（ｃ）に示すように、第１の連結金具１１０の切り欠き部分１１１、１１２の間の距離“Ｌ０”に対して、第２の連結金具１２０の根元部分１２１ａ，１２２ａの間の距離“Ｌ１”は、概ねＬ１＝Ｌ０であり、屈曲部分１２１ｂ，１２２ｂの間の距離“Ｌ２”は、Ｌ２＜Ｌ０であり、先端部分１２１ｃ，１２２ｃの間の距離“Ｌ３”は、Ｌ３＞Ｌ０の関係を持っているものとなっている。
このように、屈曲部分１２１ｂ，１２２ｂの間の距離“Ｌ２”が短いので、この屈曲部分が図２（ｂ）に示したような“爪”と同様の働きを行い、第１の連結金具１１０の切り欠きの縁１１１、１１２に対して掛かるものとなる。
【００４２】
第２の連結金具１２０の螺子孔１２３および螺子孔１２４は、螺子を取り付けるための孔である。螺子孔１２３、螺子孔１２４に対して螺子１２５、螺子１２６を打ち込むことにより、第２の連結金具１２０を第１の木材ボード２２０の接合面に取り付けることができる。
なお、第２の連結金具１２０も木材ボード２２０への取り付け自体は螺子締めが必要となるが、この作業は、利用者による組み立て時ではなく、組み立て家具などのメーカー先であらかじめ螺子を締めて取り付けておくことができ、利用者による組み立て時では螺子締めという作業は発生しない。
【００４３】
次に、第１の連結金具１１０と第２の連結金具１２０による連結動作について説明する。図６は第１の連結金具１１０と第２の連結金具１２０による連結動作を簡単に示す図である。
【００４４】
まず、図６（ａ）に示すように、木材ボード２１０の接合面と木材ボード２２０の接合面とを対向させる。
【００４５】
次に、図６（ｂ）に示すように、第１の連結金具１１０に対して第２の連結金具１２０を押し込んでゆく。ここで、図６（ｂ）に示すように、第２の連結金具１２０の突片部分１２１、１２２を第１の連結金具１１０の切り欠き部分１１１、１１２に押し込んでゆくと、第１の連結金具１１０の切り欠き部分１１１、１１２間の距離Ｌ０に対して、第２の連結金具１２０の突片部分の先端部分１２１ｃ、１２２ｃ間の距離Ｌ３は、Ｌ３＞Ｌ０であるので通過してゆくが、略「くの字」型に屈曲している屈曲部分１２１ｂ、１２２ｂ間の距離Ｌ２は狭くなりＬ２＜Ｌ０であるので、図６（ｂ）に示すように、第１の連結金具１１０の切り欠き部分１１１、１１２の縁に当接することとなる。
【００４６】
ここで、第２の連結金具１２０の突片部分１２１、１２２はそれぞれ外側に撓ることによって、図６（ｃ）に示すように、屈曲部分１２１ｂ，１２２ｂ間の距離Ｌ２が広がって切り欠き部分１１１、切り欠き部分１１２の縁を通過する。このように、第２の連結金具１２０の突片部分１２１、１２２は適度な弾性力をもって撓ることができるよう厚さと幅を調整しておくことが好ましい。
【００４７】
その後、突片部分１２１、突片部分１２２は弾性力により内側へ撓り戻り、図６（ｃ）に示すように、切り欠き部分１１１、切り欠き部分１１２の縁は、突片部分１２１、突片部分１２２の根元部分１２１ｃ，１２２ｃに落ち着く。第２の連結金具１２０の突片部分１２１、１２２の撓りにより第１の連結金具１１０の２つの切り欠き部分１１１、１１２の間の金属板部分に掛かり、縁を挟持してしっかりと接合することができる。
【００４８】
なお、図２（ｂ）の板状体の先端に爪を設けた突片部分１２１、突片部分１２２を用いた場合の動きは、上記の「くの字」型の突片部分１２１、突片部分１２２の動きと同じである。
【００４９】
ここで、第１の連結金具１１０に対して第２の連結金具１２０が上下左右に動かないよう嵌合する工夫について述べる。
その工夫とは、第１の嵌合部である切り欠き１１１，１１２の幅と第２の嵌合部の突片部分１２１，１２２の幅が合致するものとした構成として前後左右に固定するものである。
【００５０】
図７（ａ）は、第１の連結金具１１０の切り欠き部分１１１、１１２の縁と幅を示した図である。図７（ａ）に示すように、切り欠き部分１１１は、３辺の縁１１１ａ，１１１ｂ，１１１ｃがあり、切り欠き部分１１２は３辺の縁１１２ａ，１１２ｂ，１１２ｃがある。切り欠き部分１１１、１１２の幅、つまり縁１１１ｂと１１１ｃ間の距離、縁１１２ｂと１１２ｃ間の距離がそれぞれＲ１とする。
【００５１】
図７（ｂ）は、第２の連結金具１２０の突片部分１２１，１２２の幅を示した図である。突片部分１２１，１２２の幅はＲ１となっている。ただし、金属同士が嵌合するため物理的にはごく僅かに突片部分１２１，１２２の幅Ｒ１は、切り欠き部分の幅Ｒ１よりも小さいものとする必要がある。
【００５２】
図７（ｃ）は、第１の連結金具１１０に対して、裏面から第２の連結金具１２０を押し込んで接合した様子を示す図である。また、図７（ｄ）は両者の嵌合の様子が分かりやすいように、第１の連結金具１１０の切り欠き部分１１１，１１２内に入り込んだ第２の連結金具１２０の突片部分１２１，１２２の断面を示したものである。
【００５３】
図７（ｄ）に示すように、幅がＲ１である切り欠き部分１１１，１１２に対して、幅がほぼＲ１である突片部分１２１、１２２が嵌合すると、突片部分１２１の正面は切り欠き部分１１１の縁１１１ａと当接し、突片部分１２１の２つの側面はそれぞれ切り欠き部分１１１の縁１１１ｂ，１１１ｃと当接している。また、突片部分１２２の正面は切り欠き部分１１２の縁１１２ａと当接し、突片部分１２２の２つの側面はそれぞれ切り欠き部分１１２の縁１１２ｂ，１１２ｃと当接している。
【００５４】
このように第１の連結金具１１０の切り欠き部分１１１，１１２と、第２の連結金具１２０の突片部分１２１，１２２が前後左右で当接しており、第１の連結金具１１０に対して第２の連結金具１２０が上下左右に動かないよう嵌合されるという効果が得られる。
【００５５】
次に、本発明の押し込み組み立て式の木材ボードにより組み立て家具を組み立てる例を説明しておく。
図８および図９は、家具メーカーなどで既に第１の連結金具１１０、第２の連結金具１２０が取り付けられた各々のボードを利用者が購入し、自宅等で棚を簡単に組み立てて作る例を示している。
【００５６】
図８に示すように、２枚の側板Ａ，Ｂの内面には、第１の連結金具１１０がそれぞれ８カ所ずつ（１１０ａ１〜１１０ａ８，１１０ｂ１〜１１０ｂ８）が設けられている。一方、背板Ｃの左右の側面には、第２の連結金具１２０が２ヶ所ずつ（１２０ｃ１〜１２０ｃ４）設けられており、また、正面には、第１の連結金具１１０が上下３段で各々２カ所の合計６カ所（１１０ｃ１〜１１０ｃ６）設けられている。上板Ｄには両側面と背面には第２の連結金具１２０が２ヶ所ずつ合計６カ所（１２０ｄ１〜１２０ｄ６）設けられている。また、中板にも同様、両側面と背面には第２の連結金具１２０が２ヶ所ずつ合計６カ所（１２０ｅ１〜１２０ｅ６）設けられており、底板にも同様、両側面と背面には第２の連結金具１２０が２ヶ所ずつ合計６カ所（１２０ｆ１〜１２０ｆ６）設けられている。
【００５７】
まず、図９（ａ）に示すように、背板Ｃの正面に対して、上板Ｄと中板Ｅと底板Ｆを接合して嵌め込む。図９（ａ）の左側の図は左側面図、図９（ａ）の右側の図は正面図となっている。つまり、背板Ｃ正面の上段の第１の連結金具１１０ｆ１〜１１０ｆ２に対して、上板Ｄの第２の連結金具１２０ｄ５〜１２０ｄ６を接合して嵌め込み、背板Ｃ正面の中段の第１の連結金具１１０ｆ３〜１１０ｆ４に対して、中板Ｅの第２の連結金具１２０ｅ５〜１２０ｅ６を接合して嵌め込み、背板Ｃ正面の下段の第１の連結金具１１０ｆ５〜１１０ｆ６に対して、底板Ｆの第２の連結金具１２０ｆ５〜１２０ｆ６を接合して嵌め込む。
【００５８】
次に、図９（ｂ）に示すように、上板Ｄと中板Ｅと底板Ｆと背板Ｃの左側面に対して側板Ａの内面を接合して嵌め込む。つまり、背板Ｃと上板Ｄと中板Ｅと底板との左側面に出ている合計８カ所の第２の連結金具１２０ｃ１，１２０ｃ２，１２０ｄ１，１２０ｄ２，１２０ｅ１，１２０ｅ２，１２０ｆ１，１２０ｆ２を、側板の内面にある８カ所の第１の連結金具１１０ａ１〜１１０ａ８を接合して嵌め込む。同様に、図１０に示すように、背板Ｃと上板Ｄと中板Ｅと底板Ｆの右側面に対しても側板Ｂを接合して嵌め込む。
【００５９】
このように、従来なら、組み立て家具を購入した購入者が木材ボードを組み立てる際、煩わしい螺子締め等の作業が必要であったが、本発明の押し込み組み立て式の木材ボードであれば、利用者は、第１の連結金具１１０や第２の連結金具１２０が既に取り付けられている木材ボード２１０、２２０の接合面を押し込んでゆくだけで、簡単かつ確実に嵌合して組み立てて行くことができ、従来の組み立て作業に比べてその労力は激減する。
【実施例２】
【００６０】
以下の説明において、実施例１の構成と同じ点についてはこの実施例２の説明では省略する。
実施例１の構成例では、図７に示す第１の連結金具１１０の第１の嵌合部は、略「コの字」型の切り欠き形状において、３つの縁１１１ａ，１１１ｂ，１１１ｃと、もう一方の略「コの字」型の切り欠き形状の３つの縁１１２ａ，１１２ｂ，１１２ｃのうち、縁１１１ａと縁１１２ａに対して第２の嵌合部の突片形状を嵌合させるものであったが、本発明の原理は、他の辺に対しても適用できる。例えば、図１１に示すように、縁１１１ｂと縁１１１ｃ、縁１１２ｂと縁１１２ｃを用いることができる。
【００６１】
図１１（ａ）は、第２の連結金具１２０の別の態様を示す図であり、図７に示す第１の連結金具１１０の縁１１１ｂと縁１１１ｃ、縁１１２ｂと縁１１２ｃに対して突片形状１２１ｂ、１２１ｃ、１２２ｂ、１２２ｃを掛けるものとなっている。第２の連結金具１２０の上側には図７に示した突片形状１２１が９０度回転したものと、−９０度回転したものの２つを対向させるように形成している。同様に、第２の連結金具１２０の下側には図７に示した突片形状１２２が９０度回転したものと、−９０度回転したものの２つを対向させるように形成している。
【００６２】
図１１に示すように、第１の連結金具１１０に対して第２の連結金具１２０を押し込むことにより（図１１では第１の連結金具１１０に対して下から第２の連結金具１２０を押し込む）、対向しあう縁１１１ｂと縁１１１ｃの間に第２の嵌合部である２つの突片形状１２１ｂと突片形状１２１ｃが縁１１１ｂと縁１１１ｃ間を押し広げるように掛って嵌合するものとなっている。
【実施例３】
【００６３】
以下の説明において、実施例１および実施例２の構成と同じ点についてはこの実施例３の説明では省略する。
実施例１の構成例では、図７に示す第１の連結金具１１０の第１の嵌合部は、略「コの字」型の切り欠き形状であったが、略「コの字」型に代え、略「ロの字」型、略「Ｌの字」型、略「凸の字」型であっても良い。なお、略「凸の字」型は、略「Ｌの字」型の２つの切り欠きが左右対称に向かい合っているものと見ることができる。
【００６４】
図１２は、略「コの字」型、略「ロの字」型、略「凸の字」型、それぞれの第１の連結金具１１０の第１の嵌合部の切り欠きパターンを示した図である。それぞれのパターンにおいて、縁にあたる部分にはハッチングを付けている。
これら縁の部分は、いずれの部分であっても、基本的には第２の連結金具１２０の第２の嵌合部の突片形状が対応する位置に設けられておれば第２の連結金具１２０の第２の嵌合部が掛かることができ、第１の連結金具１１０と第２の連結金具１２０を嵌合させることができる。
【００６５】
例えば、略「ロの字」型の切り欠きであれば、ハッチングに示した４つの辺のどの縁であっても良く、第２の連結金具１２０側において第２の嵌合部である突片形状が当該縁に掛かる位置に配置されておれば良い。
また、例えば、略「凸の字」型の切り欠きであれば、ハッチングに示した５つの辺のどの縁であっても良く、第２の連結金具１２０側において第２の嵌合部である突片形状が当該縁に掛かる位置に配置されておれば良い。
【００６６】
一例として、下段側には、第２の連結金具１２０の第２の嵌合部の突片形状のパターンの一例を示した。
図１２（ａ）のパターンは、第１の連結金具１１０の上側にある「コの字」型の切り欠き１１１の３つの縁のうち、縁１１１ａに対して第２の連結金具１２０の第２の嵌合部の突片形状１２１ａが掛かるように対応し、下側にある「コの字」型の切り欠き１１２の３つの縁のうち、縁１１２ａに対して第２の連結金具１２０の第２の嵌合部の突片形状１２２ａが掛かるように対応した例である。
【００６７】
図１２（ｂ）のパターンは、第１の連結金具１１０の上側にある「ロの字」型の切り欠き１１１の４つの縁のうち、縁１１１ａに対して第２の連結金具１２０の第２の嵌合部の突片形状１２１ａが掛かるように対応し、下側にある「ロの字」型の切り欠き１１２の４つの縁のうち、縁１１２ａに対して第２の連結金具１２０の第２の嵌合部の突片形状１２２ａが掛かるように対応した例である。
【００６８】
図１２（ｃ）のパターンは、第１の連結金具１１０の上側にある「凸の字」型の切り欠き１１１の５つの縁のうち、縁１１１ａ１と縁１１１ａ２に対して第２の連結金具１２０の第２の嵌合部の突片形状１２１ａ１および１２１ａ２が掛かるように対応し、下側にある「凸の字」型の切り欠き１１２の５つの縁のうち、縁１１２ａ１と縁１１２ａ２に対して第２の連結金具１２０の第２の嵌合部の突片形状１２２ａ１と突片形状１２２ａ２が掛かるように対応した例である。
【００６９】
図１３は、図１２に示したそれぞれのパターンを組み合わせて嵌合させた様子を示している。
図１３の各図において、前面側に第１の連結金具１１０があり、後方には第２の連結金具１２０がある状態となっている。
【００７０】
次に、第２の連結金具１２０の突片形状１２１、１２２の別の形状例を示す。
図１４の第２の連結金具１２０の例は、図１２（ｃ）の第２の連結金具１２０の構造において、左右に分かれていた第２の連結金具１２０の第２の嵌合部の突片形状１２１ａ１および１２１ａ２に対して、図１３（ｂ）に示すように、橋梁を設けたような構造となっている。そのため、あたかも孔１２５が開いたようになっている。下側においても同様に、図１２（ｃ）において左右に分かれていた第２の連結金具１２０の第２の嵌合部の突片形状１２２ａ１および１２２ａ２に対して橋梁を設けたような構造となっている。
【００７１】
図１４の第２の連結金具１２０は橋梁が設けられているが、第２の連結金具１２０の形状のうち、第１の連結金具１１０の第１の嵌合部である切り欠き１１１，１１２に掛かる部分は、図１２（ｃ）における突片形状１２１ａ１および１２１ａ２に相当する部分であるので、第２の連結金具１２０の働きは同じである。なお、第２の連結金具１２０に橋梁を設けておくことにより、突片形状１２１ａ１および１２１ａ２に相当する部分同士が接合されているので構造的強度が強くなるというメリットが得られる。
【実施例４】
【００７２】
実施例４は、組み立てボード２００が鉄板やアルミ板のような金属板である例である。本発明の原理は、組み立てボード２００が木材であっても金属板であっても適用することができる。
組み立てボード２００が木材である場合であれば、第１の連結金具１１０や第２の連結金具１２０は金属であるので、組み立てボード２００に第１の連結金具１１０や第２の連結金具１２０を螺子留めする必要があった。
【００７３】
組み立てボード２００が金属板である場合は、第１の連結金具１１０や第２の連結金具１２０は金属であるが、木材の場合と同様、組み立てボード２００に第１の連結金具１１０や第２の連結金具１２０を螺子留めすることも可能であるし、組み立てボード２００と第１の連結金具１１０や第２の連結金具１２０を一体化して製作することも可能である。
【００７４】
図１５（ａ）は、第１の連結金具１１０自体を金属板と一体化した例であり、一枚の金属板を加工して第１の嵌合部の切り欠き１１１のみを打ち抜いて形成している。また、図１５（ｂ）は、第２の連結金具１２０自体を金属板と一体化した例であり、一枚の金属板を加工して第２の嵌合部の突片形状１２１の形に切れ目を入れてからめくり上げ、略「くの字」型の突片形状に成型した例である。
図１５（ｃ）は、図１５（ａ）の切り欠き１１１を形成した金属板３１０と、図１５（ｂ）の突片形状１２１を形成した金属板３２０を重ねて接合した様子を示す図である。金属板３１０の切り欠き１１１に対して金属板３２０の突片形状１２１が嵌り込んで嵌合し、両者を接合せしめている。
【００７５】
以上、本発明の木材ボードの連結金具の構成例における好ましい実施例を図示して説明してきたが、本発明の技術的範囲を逸脱することなく種々の変更が可能であることは理解されるであろう。
【産業上の利用可能性】
【００７６】
本発明の木材ボードの連結金具および押し込み式の木材ボードは、組み立て家具など、一般需要者が組み立てる部材である木材ボードに適用することができる。
【図面の簡単な説明】
【００７７】
【図１】本発明の実施例１に係る組立ボードの連結金具１００の第１の連結金具１１０の構成例を模式的に示す図
【図２】本発明の実施例１に係る組立ボードの連結金具１００の第２の連結金具１２０の構成例を模式的に示す図
【図３】本発明の押し込み組み立て式の木材ボード２００の構成例を模式的に示す図
【図４】第１の木材ボードの接合面に設けられている窪み穴と、第１の連結金具の切り欠き部分との位置関係および重なり関係を模式的に示した図
【図５】第２の連結金具１２０の突片部分１２１、１２２の形状を分かりやすく示した図
【図６】第１の連結金具を取り付けた第１の木材ボードと、第２の連結金具を取り付けた第２の木材ボードの連結動作を簡単に示す図
【図７】第１の連結金具１１０の切り欠き部分１１１、１１２の縁と幅を示した図
【図８】組み立て家具の組み立て動作を示す図（その１）
【図９】組み立て家具の組み立て動作を示す図（その２）
【図１０】組み立て家具の組み立て動作を示す図（その３）
【図１１】第２の連結金具１２０の別の態様を示す図
【図１２】略「コの字」型、略「ロの字」型、略「凸の字」型、それぞれの第１の連結金具１１０の第１の嵌合部の切り欠きパターンを示した図
【図１３】図１２に示したそれぞれのパターンを組み合わせて嵌合させた様子を示した図
【図１４】第２の連結金具１２０の突片形状１２１、１２２の別の形状例を示す図
【図１５】組み立てボード２００が金属板であり、組み立てボード２００と第１の連結金具１１０や第２の連結金具１２０を一体化した例を示す図
【図１６】従来の特開平１１−２８６９９５号公報および従来の特開２０００−１２９７９８号公報に記載された連結金具を示す図
【図１７】従来の特開平１１−１００９０４号公報および従来の特開平１１−１７２７８９号公報に記載された連結金具を示す図
【符号の説明】
【００７８】
１００  連結金具
１１０  第１の連結金具
１１１  第１の嵌合部の切り欠き
１１２  第１の嵌合部の切り欠き部分
１１３  螺子孔
１１４  螺子孔
１１５  螺子
１１６  螺子
１２０  第２の連結金具
１２１  第２の嵌合部の突片部分
１２２  第２の嵌合部の突片部分
１２３  螺子孔
１２４  螺子孔
１２５  螺子
１２６  螺子
２００  押し込み組み立て式の木材ボード
２１０  第１の木材ボード
２１１  窪み穴
２１２  窪み穴
２２０  第２の木材ボード
３１０  金属板
３２０  金属板
【図１】
2011106129.tif 000003
【図２】
2011106129.tif 000004
【図３】
2011106129.tif 000005
【図４】
2011106129.tif 000006
【図５】
2011106129.tif 000007
【図６】
2011106129.tif 000008
【図７】
2011106129.tif 000009
【図８】
2011106129.tif 000010
【図９】
2011106129.tif 000011
【図１０】
2011106129.tif 000012
【図１１】
2011106129.tif 000013
【図１２】
2011106129.tif 000014
【図１３】
2011106129.tif 000015
【図１４】
2011106129.tif 000016
【図１５】
2011106129.tif 000017
【図１６】
2011106129.tif 000018
【図１７】
2011106129.tif 000019